(57)【要約】【課題】先行技術における既知の装置によってもたらされる制限を解消することができる紐結び装置を提供する。【解決手段】ユーザの足を収納するようになっていて紐結び装置を含むフットウェア（１）において、前記紐結び装置が、紐（１１）が滑動することを可能にするようになっている少なくとも２つのキーパ（１０）と、前記紐（１１）を固定することが可能な固定装置（１２）とを含み、前記固定装置（１２）が紐（１１）の固定解除を行う駆動装置（２３）を含み、前記フットウェア（１）が、足の挿入を可能にする開位置と、足が前記フットウェア内に堅固に保持される締め付け位置とを有し、開位置から締め付け位置への移行が紐（１１）に印加される引っ張り力により行われること、および締め付け位置から開位置への移行が固定装置の駆動装置（２３）に印加される引っ張り力により行われることを特徴とするフットウェア。【選択図】図１
0003120937.tif 000002
【実用新案登録請求の範囲】
【請求項１】
ユーザの足を収納するようになっていて紐結び装置を含むフットウェア（１）において、前記紐結び装置が、紐（１１）が滑動することを可能にするようになっている少なくとも２つのキーパ（１０）と、前記紐（１１）を固定することが可能な固定装置（１２）とを含み、前記固定装置（１２）が紐（１１）の固定解除を行う駆動装置（２３）を含み、前記フットウェア（１）が、足の挿入を可能にする開位置と、足が前記フットウェア内に堅固に保持される締め付け位置とを有するフットウェアであって、締め付け段階すなわち開位置から締め付け位置への移行が、紐（１１）に印加される引っ張り力により行われること、および緩め段階すなわち締め付け位置から開位置への移行が、固定装置の駆動装置（２３）に印加される引っ張り力により行われることを特徴とするフットウェア。
【請求項２】
フットウェアがほぼ水平な表面に置かれる時、開放位置から締め付け位置に移行するために紐（１１）に加えられる引っ張り力、ならびに締め付け位置から開放位置に移行するために駆動装置に加えられる引っ張り力がほぼ垂直方向を向くことを特徴とする請求項１に記載のフットウェア。
【請求項３】
フットウェアの締め付けおよび緩めが片手ででき、紐（１１）および固定装置（１２）から成るサブアセンブリが道具なしで前記フットウェア（１）から取り外すことができるように、前記フットウェア（１）への前記固定装置（１２）の取り外し可能な固定手段を備えることを特徴とする請求項１または２に記載のフットウェア。
【請求項４】
固定装置の前記取り外し可能な固定手段が、内部に開口部（１６）が設けられたカバー（１３）を備えること、および固定装置（１２）が前記開口部（１６）の中に嵌め込まれることを特徴とする請求項３に記載のフットウェア。
【請求項５】
長手方向開口部を有するアッパー（４）およびタング（９）を含み、前記タングが甲の領域を部分的に覆うために設けられた下部ゾーン（７）と、脚の下部を部分的に覆うために設けられた上部ゾーン（８）と、前記下部ゾーンと前記上部ゾーンの間に位置する中間ゾーン（１４）とを有し、前記アッパー（４）が、紐（１１）と、キーパ（１０）と、タング（９）上に固定された固定装置（１２）とを含む紐結び装置を備えること、および固定装置がタングの中間ゾーン内に固定されることを特徴とする請求項１乃至４のいずれか１項に記載のフットウェア。
【請求項６】
ユーザの足を収納するようになっていて紐結び装置を含むフットウェア（１）において、前記紐結び装置が、紐（１１）が滑動することを可能にするようになっている少なくとも２つのキーパ（１０）と、前記紐（１１）を固定することが可能な固定装置（１２）とを含み、前記固定装置（１２）が本体（１９）の内部において可動な固定機構（２０）を備えるフットウェア（１）であって、前記フットウェア（１）の締め付け段階および締め付け段階を片手で行うことができ、紐固定装置サブアセンブリ（１１、１２）が道具なしで前記フットウェア（１）から取り外すことができるように前記フットウェアへの前記固定装置（１２）の前記取り外し可能な固定手段を備えることを特徴とするフットウェア。
【請求項７】
固定装置の前記取り外し可能な固定手段が、内部に開口部（１６）が設けられたカバー（１３）を備えること、および固定装置（１２）が前記開口部（１６）の中に嵌め込まれることを特徴とする請求項６に記載のフットウェア。
【請求項８】
前記固定装置（１２）が駆動装置（２３）をも備え、その駆動装置に対しユーザによって加えられた引っ張り力により紐（１１）が固定解消されることを特徴とする請求項６に記載のフットウェア。
【請求項９】
前記固定装置（１２）が駆動装置を紐の固定位置に復帰させるための復帰手段をも備えることを特徴とする請求項８に記載のフットウェア。
【請求項１０】
前記開口部がほぼ屈曲襞のところに設けられること、およびカバーが前記固定装置（１２）から出た前記紐（１１）が通るトンネル（１５）をさらに備えることを特徴とする請求項７に記載のフットウェア。
【請求項１１】
長手方向開口部を有するアッパー（４）およびタング（９）を含み、前記タングが甲の領域を部分的に覆うために設けられた下部ゾーンと、脚の下部を部分的に覆うために設けられた上部ゾーンと、前記下部ゾーンと前記上部ゾーンの間に位置する中間ゾーンとを有し、前記アッパー（４）が、紐（１１）と、キーパ（１０）と、タング（９）上に固定された固定装置（１２）とを含む紐結び装置を備えること、および固定装置がタング（９）の中間ゾーン内に固定されることを特徴とする請求項８に記載のフットウェア。
【考案の詳細な説明】
【技術分野】
【０００１】
本発明は、紐結び装置を備え紐固定装置を含むスポーツシューズに関する。
【背景技術】
【０００２】
米国特許出願公開第２００３／０２２６２８４号明細書は、アッパーの下部の２つの面を接近させる紐結び装置を具備するアッパーを含むローラースケート用のフットウェアについて記述している。前記２つの面の間には、フットウェアの前部から前記フットウェアの頂点まで延びるタングがある。各面は下部にのみ配置された複数のキーパを備える。紐結び装置は紐および紐固定装置も備える。紐固定装置はタングの頂点に固定される。さらにフットウェアは固定装置の下のタング上に固定され紐を固定装置に向けるガイドを備える。そのようなシステムは多くの欠点を有する。紐固定装置がタングの頂上に固定されていることにより、アッパーの下部の２つの面における紐結びゾーンからの紐の出口と固定装置の上位置との間に間隔ができるため、この装置の効果はほとんどなくなる。紐を引っ張ると固定装置がガイド側に接近し、その結果、タングの上部が折れ曲がる。タングの折れ曲がりの問題を防止するためにタングの剛性を増すと、快適性が低下する。また、フットウェア用に用いられる紐は必ず、ある弾性を有する。厳密に言えば、ガイドと固定装置の間に位置する紐の部分は、対向する２つの面の接近を実現するわけではないので、締め付けに関しては役に立たない。しかしながら、紐には固有の弾性があるため、紐の全体的な伸張に関しては効果がある。また、固定装置は常時タングの頂点に固定されているため、紐が切れた時、紐を交換することは非常に難しく、また固定装置が破損した時には固定装置を交換することは不可能ですらある。最後に、この特許出願において記述されている紐結び装置の使用方法は、紐の固定を解除するためにユーザが固定装置のボタンを押さなければならないこと、また、フットウェアの締め付け位置から、ユーザが足を抜くことができる開放位置まで移行する時間中押した状態を保たなければならないため、人間工学的配慮が欠如している。また、ユーザがボタンに加えなければならない押圧力は、タングとほぼ平行でありタングの上部に向いているので不自然である。
【特許文献１】米国特許出願公開第２００３／０２２６２８４号明細書
【考案の開示】
【考案が解決しようとする課題】
【０００３】
本発明は、先行技術における既知の装置によってもたらされる制限を解消することができる紐結び装置を提供することを目的とする。特に、本発明は最適化された紐結び装置を備えるフットウェアを提供することを目的とする。
【０００４】
本発明は、上部アッパーを有し、紐固定装置アセンブリーを使用する締め付け手段を備え、締め付け動作および緩め動作として片手だけで行う操作が可能なフットウェアも対象とする。
【課題を解決するための手段】
【０００５】
本発明の目的は、ユーザの足を収納するようになっていて紐結び装置を含むフットウェアにおいて、前記紐結び装置が、紐が滑動することを可能にするようになっている少なくとも２つのキーパと、前記紐を固定することが可能な固定装置とを含み、前記固定装置が紐の固定解除を行う駆動装置を含み、前記フットウェアが、足の挿入を可能にする開位置と、足が前記フットウェア内に堅固に保持される締め付け位置とを有し、締め付け段階、すなわち開位置から締め付け位置への移行が紐に印加される引っ張り力により行われること、および緩め段階、すなわち締め付け位置から開位置への移行が固定装置の駆動装置に印加される引っ張り力により行われることを特徴とするフットウェアを提供することにより達成される。
【０００６】
有利には、フットウェアを開くまたは締め付ける際、ユーザには引っ張り応力のみが要求される。
【０００７】
有利には、本発明によるフットウェアは、フットウェアの締め付けおよび緩めが片手ででき、紐および固定装置から成るサブアセンブリが道具なしで前記フットウェアから取り外すことができるよう、前記フットウェアへの前記固定装置の取り外し可能な固定手段を備える。
【０００８】
本発明の目的は、ユーザの足を収納するようになっていて上部アッパーを含むフットウェアにおいて、前記上部アッパーが、紐結び装置を備えた下部と、ユーザの脚の下部を包むために設けられた上部と、タングが固定されている前記下部から前記上部の頂点まで展開するタングとを備え、前記タングが、前記タングが前記下部の高さに位置する下部ゾーンと、前記上部の高さに位置する上部ゾーンと、前記下部ゾーンと前記上部ゾーンの間に位置する中間ゾーンとを有し、前記紐結び装置が、紐が滑動することを可能にするようになっている少なくとも２つのキーパと、前記紐を固定することが可能な固定装置とを含むフットウェアであって、固定装置がタングの中間ゾーン内に固定されることを特徴とするフットウェアを提供することによっても達成される。
【０００９】
本発明の目的は、ユーザの足を収納するようになっていて紐結び装置を含むフットウェアにおいて、前記紐結び装置が、紐が滑動することを可能にするようになっている少なくとも２つのキーパと、前記紐を固定することが可能な固定装置とを含み、前記固定装置が本体の内部において可動な固定機構を備えるフットウェアであって、フットウェアの締め付けおよび緩めを片手で行うことができ、紐固定装置サブアセンブリが道具なしで前記フットウェアから取り外すことができるように、前記フットウェアへの前記固定装置の取り外し可能な固定手段を備えることを特徴とするフットウェアを提供することによっても達成される。
本発明は、図面が添付される以下の説明を読むことにより、よりよく理解されよう。
【考案を実施するための最良の形態】
【００１０】
図１は本発明の第一実施形態によるフットウェア１を示す。これは４つのホイール３を具備するシャーシ２を有するローラースケートである。フットウェアは、アッパー４が上に取り付けられたソールを備える。アッパー４の下側部分は、外側面５、ならびにそれに面する内側面６を備える。面同士が接近することによりフットウェアの内部体積を調節しアッパーをユーザの足の上に締め付けることができる。前記締め付けを行うために、複数のキーパ１０と、１つの紐１１と、１つの紐固定装置１２を備える紐結び装置がアッパーの下側部分内に設置される。キーパ１０は外側面、ならびにそれに面する内側面の各縁の上に分布している。紐１１の紐端は、内側面６上に固定されたキーパ内を交互に通り、次に外側面５上に固定されたキーパ内を交互に通る。紐結びゾーンから出た紐の２本の紐端は固定装置１２の中に入る。
【００１１】
タング９は、ユーザの足の上部を覆うようになっていて、キーパ１０間の紐１１の紐端の通し部で覆われている下側ゾーン７を備える。タング９は、ユーザの脚の下部の前部を覆うようになっている上側ゾーン８も備える。タング９は、ユーザの足がフットウェアに挿入された時、踵の関節の屈曲しわの近傍にある中間ゾーン１４を前記下側ゾーン７と前記上側ゾーン８の間に備える。
【００１２】
固定装置１２は、タング９上に固定されたカバー１３により、タング上の中間ゾーン１４の定位置に保持される。記述する例では、カバーはタング９に縫い付けられる。これに限定されるものではなく、任意の別の方法でカバーをタングに固定することができる。同様に、本発明の一環として、カバーをタングの主要部分とすることも想定されている。
【００１３】
固定装置１２は直接、紐結びゾーンの出口のところにあり、紐１１の２本の紐端は、最も高いところにある２つのキーパ１０から、何も経由せずに固定装置１２側に通っていく。こうすることにより、紐の弾力性による張力の損失は最小限に留められる。
【００１４】
図２はカバー１３の目に見える面の、図３は隠れた面のそれぞれ斜視図である。カバーは、延長部の中に開口部１６があるトンネル１５を備える。開口部１６は固定装置１２を嵌め込むことができるような寸法にされる。開口部１６の下縁は、固定装置１２のはめ込みを確実なものにする若干突出した爪１７を備える。ユーザが紐に引っ張り力を加えた時、固定装置がトンネル内に引き込まれるのを防ぐために、トンネルの基部に２つのストッパ１８が設置されている。カバーの全体的な輪郭は下部が上部より小さい三角形形状を有する。
【００１５】
図４は固定装置１２について記述する図である。固定装置は、紐の２本の紐端を受け取るようになっている対面した２つの傾斜面を備える内部容積を有する本体１９を有する。固定機構２０が、傾斜した２つの傾斜面の間を滑動するようになっている。固定機構２０は、紐の２本の紐端を固定する歯付き下端部分２１と、駆動装置２３に接続されるようになっている上端部分２２を備える。固定機構２０は、本体の滑動面２５内に収納されたスライド２４も含む。滑動面２５内のスライド２４の運動により、固定機構は、固定位置から全開位置まで、本体１９に対し様々な位置をとることができる。固定機構２０と本体１９の間にはスプリングリーフ２６が配設され、固定機構を固定位置内に保持する機能および復帰させる機能を有する。このスプリングリーフ２６はスライド２４を横断し、その両端は滑動面２５の両側に設置された２つの補強部内に収納される。
【００１６】
図５は締め付け段階を示す図である。ユーザは、足をフットウェアに入れた後、紐１１のループに引っ張り力を加える。固定装置はストッパ１８により嵌め込み部内の定位置に保持される。紐１１に加えられる引っ張り力のほうがスプリングリーフ２６の復元力よりも大きい限り、紐の２本の紐端は摩擦により固定機構２０を上方に駆動する。紐１１への引っ張り力が解放されると、スプリングリーフは固定機構２０を固定位置に戻し、これにより紐の２本の紐端は固定され、フットウェアの締め付けが確保される。上で見てきたように、締め付け段階は、片手で紐のループに引っ張り力を加えるだけで行うことができる。
【００１７】
図６は開放段階を示す図である。ユーザは駆動装置２３を掴み、矢印で示すように、この装置に対し前方上方に引っ張り力を加える。第一のタイミングでは、固定装置に直接結合されている駆動装置２３の運動により、紐１１の紐端の固定が解除される。第二のタイミングでは、固定機構２０と本体１９の間の相対運動がなくなり、スライド２４は滑動面２５の上端により制止される。したがって、駆動装置２３に引っ張り力を加えることにより、固定装置１２およびタング９の前方上方への運動が生じる。一方、タングは紐の紐端に作用するので、ユーザが駆動装置２３に引っ張り力を加えている限り、紐の紐端は固定装置１２およびキーパ１０内を自由に滑動する。開放段階の終了時には、フットウェアは開放位置、すなわち足が容易に抜けるようアッパーの残りの部分からタングが完全に外された位置にある。締め付けの場合がそうであるように、フットウェアの開放段階は、片手で駆動装置２３を操作するだけで行うことができる。
【００１８】
また、開放段階は引っ張り運動により締め付け段階と同じように行われる。本発明の第一実施形態によるフットウェアはきわめて人間工学的であるのはこの理由による。実際、ユーザにとっては、押す操作よりも引っ張りによる応力を加える方が容易である。この場合、ユーザは、締め付け段階でも開放段階でも、引っ張り力を加える腕の筋力、場合によっては上体部の筋力、ならびに脚の力を使うことができる。
【００１９】
この実施形態においては、紐が切れた場合、紐１１および固定装置１２から成るサブアセンブリを交換する。これを行うために、最初のタイミングでは、ユーザ自身またはアフターサービス技術者が、カバー１３の開口部１６内の嵌め込み部から固定装置１２を外す。次に、固定機構２０の上端部分の駆動装置２３を取り外す。なおこの取り外しは、駆動装置の体積が大き過ぎてトンネル１５内を通すことができない場合のみ必要であることに留意されたい。ここで記述した実施形態において示したような駆動装置の代わりに、柔軟性を有するバンドで作製されたループの形態の駆動装置を使用することも可能であり、これは問題なくトンネル内を通る。最終的に固定装置はカバー１３の開口部１６から完全に抜かれ、紐１１の上側ループがトンネル内を通るので、全てのキーパから紐を引き抜くだけでよい。
【００２０】
締め付けの場合も緩めの場合も片手しか必要ないので、本発明による紐結び装置により取り扱いが簡単かつ人間工学的になる。
【００２１】
図７は本発明の第二実施形態によるフットウェアを示す図である。このフットウェアは紐結び装置を含むショートシューズである。紐結び装置は複数のキーパ１０と、１つの紐１１と、１つの固定装置１２で構成される。固定装置１２は駆動ディスク２７を備え、「固定」状態から「固定解除」状態に移行できるようにするためにはこれを押す必要がある。有利には固定装置１２は、当然のことながら、駆動ディスクに対する圧力を保持する必要がなく、固定位置にも固定解除位置にも保持することができる双安定固定装置である。この固定装置の別の人間工学的特徴は、ユーザが駆動ディスクに印加する圧力はタングに対し直角であるため、自然の圧力となることにある。
【００２２】
図８はシューズのタング９上への固定装置１２の固定の詳細を示す図である。固定装置１２はサポート２８上に固定される。サポート２８はタングの内部に埋め込まれた固定プレートを備え、タング、ならびに固定装置１２の外部の輪郭に対する相補形円筒形部分の保持を行い、固定装置が円筒形部分内に収納されるようにする。リップ２９は円筒形部分の内表面に突出している。固定装置がサポート２８内に嵌め込まれると、これらのリップは、固定装置１２の外周上に設けられた溝３０に入る。したがって固定装置１２はタング上の定位置に保持される。円筒形部分の壁部が弾性変形するため、紐１１上のタングに対しほぼ直角な方向に加えられる引っ張り力により、リップが溝３０から解放される。すると固定装置１２はタングから解放される。
【００２３】
フットウェアは以下に記述するように使用することができる。ユーザは、足をフットウェアに挿入した後、紐を引っ張る。固定装置１２はサポート２８内にはまったままであるため、締め付けは自動的に行われる。フットウェアを脱ぐ場合には、ユーザはたとえば人差し指で駆動ディスクを押して、紐の固定を解除する。同時に、親指をタングの下に滑らせることによりタングを離すことができる。このように片手で１回の操作をするだけで、ユーザはブロックの固定を解除しフットウェアを開くことができる。
本発明は、例として上で記述したいくつかの実施形態に限定されるものではなく、同等のあらゆる実施例を包含する。
【図面の簡単な説明】
【００２４】
【図１】本発明の第一実施形態によるフットウェアの斜視図である。
【図２】紐固定装置の固定カバーの目に見える面の斜視図である。
【図３】紐固定装置の固定カバーの目に見えない面の斜視図である。
【図４】固定装置の図である。
【図５】締め付け段階のフットウェアの斜視図である。
【図６】緩め段階のフットウェアの斜視図である。
【図７】本発明の第二実施形態によるフットウェアの斜視図である。
【図８】本発明の第二実施形態の詳細図である。
【符号の説明】
【００２５】
１  フットウェア
２  シャーシ
３  ホイール
４  アッパー
５  外側面
６  内側面
７  下側ゾーン
８  上側ゾーン
９  タング
１０  キーパ
１１  紐
１２  ブロッカ
１３  カバー
１４  中間ゾーン
１５  トンネル
１６  開口部
１７  爪
１８  ストッパ
１９  本体
２０  固定装置
２１  下端部分
２２  上端部分
２３  駆動装置
２４  スライド
２５  滑動面
２６  スプリングリーフ
２７  駆動ディスク
２８  サポート
２９  リップ
３０  溝
【図１】
0003120937.tif 000003
【図２】
0003120937.tif 000004
【図３】
0003120937.tif 000005
【図４】
0003120937.tif 000006
【図５】
0003120937.tif 000007
【図６】
0003120937.tif 000008
【図７】
0003120937.tif 000009
【図８】
0003120937.tif 000010